(57)【特許請求の範囲】
【請求項１】
遊技機前面部に配置され、所定の大きさの窓口部を有する環状枠体と、前記環状枠体の両面に前記窓口部を密閉状に塞ぎかつ中間に隙間空間が成形されるようにして取付けられる一対の透明板と、前記環状枠体に設けられ乾燥剤を収容する乾燥剤室と、前記乾燥剤室の挿入口に嵌着されかつ前記乾燥剤室と隙間空間とを連通する通気孔が貫設される被せ蓋とを備え、前記挿入口は前記透明板で覆われる領域の内側であり前記隙間空間に臨むようになっている遊技機用透明板保持枠であって、
前記乾燥剤室の内周面に係止凹部を有しかつ該乾燥剤室と外気とを連通する空気抜き孔を開設し、前記被せ蓋には前記空気抜き孔の係止凹部に係止し得る係止片を突設し、前記係止片を前記係止凹部に係止すると共に該空気抜き孔に外側から接着剤を充填することにより前記隙間空間を密閉できるようにしたことを特徴とする遊技機用透明板保持枠。
【発明の詳細な説明】
【技術分野】
【０００１】
本発明は、遊技機前面部に配置され遊技盤の前面を覆う遊技機用透明板保持枠に関するものである。
【背景技術】
【０００２】
従来、例えば、遊技機の一種であるパチンコ遊技機であって、その前面部に配置され遊技盤面を覆う透明板保持枠は、次に示すような構成からなっている。
【０００３】
すなわち、この透明板保持枠は、環状枠体の前面側及び後面側に透明板としてのガラス板が接着して取り付けられ、両ガラス板の間に隙間空間が成形されている。環状枠体の上端部に乾燥剤室が成形され、該乾燥剤室の上面は開放しその上面に挿入口が設けられている。また、環状枠体には、乾燥剤室の底壁部位において前記乾燥剤室と隙間空間とを連通させる複数個の通気孔が開設される。そして、前記挿入口から乾燥剤室に乾燥剤を入れ、該挿入口に被せ蓋を嵌着すると共に周縁に接着剤を塗布して密閉するようにしている（例えば、特許文献１参照。）。
【特許文献１】特開２００３−９０７号公報（第３頁、図１乃至図４）
【発明の開示】
【発明が解決しようとする課題】
【０００４】
ところで、前記特許文献１の透明板保持枠にあっては、隙間空間を外気と遮断しその中を常に乾燥状態が保持されるように完全に密閉しておく必要がある。しかし、前記環状枠体の外側に挿入口が位置している。このため、前記ガラス板を接着剤により環状枠体に接着して取り付け、更に、挿入口に被せ蓋を接着剤により接着して取り付けるなど接着工程が２工程となり、しかも、隙間ができないように接着剤を塗るなど慎重を要する作業が多いことから、時間が掛かり作業工程の簡素化が図れないという課題がある。また、接着面が少なければ少ないほど隙間空間の密閉性の精度が向上することになる。
【０００５】
そこで、本発明は上記課題を解決すべくなされたもので、作業工程の簡素化を図り作業能率が高められるようにし、また、隙間空間の密閉性の精度も向上できる遊技機用透明板保持枠を提供することを目的とするものである。
【課題を解決するための手段】
【０００６】
かかる目的を達成するため、本発明に係る遊技機用透明板保持枠は、遊技機前面部に配置され、所定の大きさの窓口部を有する環状枠体と、該環状枠体の両面に前記窓口部を密閉状に塞ぎかつ中間に隙間空間が成形されるようにして取付けられる一対の透明板と、前記環状枠体に設けられ乾燥剤を収容する乾燥剤室と、該乾燥剤室の挿入口に嵌着されかつ前記乾燥剤室と隙間空間とを連通する通気孔が貫設される被せ蓋とを備え、前記挿入口は前記透明板で覆われる領域の内側であり前記隙間空間に臨むようになっている遊技機用透明板保持枠であって、前記乾燥剤室の内周面に係止凹部を有しかつ該乾燥剤室と外気とを連通する空気抜き孔を開設し、前記被せ蓋には前記空気抜き孔の係止凹部に係止し得る係止片を突設し、前記係止片を前記係止凹部に係止すると共に該空気抜き孔に外側から接着剤を充填することにより前記隙間空間を密閉できるようにした構成からなる。
【発明の効果】
【０００７】
本発明は、乾燥剤室の挿入口が一対の透明板で覆われる領域の内側であってその間の隙間空間に臨むようになっており、係止片を空気抜き孔の係止凹部に係止して乾燥剤室の挿入口に被せ蓋を嵌着し、環状枠体の両面に接着剤を塗布して一対の透明板を密閉状に取り付け、前記空気抜き孔に外側から接着剤を充填することにより前記隙間空間を密閉できるようにしたので、従来のように周囲に接着剤を塗布して被せ蓋を挿入口に嵌着する必要がなくなる。これによって、被せ蓋を接着剤により取り付けるという作業工程が省略でき作業能率が高められる。また、乾燥剤室には前記挿入口以外の口はないことから、接着面積が少なくなりその分隙間空間の密閉性の精度も向上できるという効果がある。
【発明を実施するための最良の形態】
【０００８】
以下、本発明に係る遊技機用透明板保持枠の実施の形態を図面に基づき説明する。本発明が適用される遊技機には、例えば、パチンコ遊技機、アレンジボール機、雀球遊技機、パチスロ機、パロット（登録商標）機等の遊技機に適用されるが、この内、本発明はパチンコ遊技機に適用される透明板保持枠について説明する。なお、パロット機とは、パチスロ機とパチンコ遊技機との関係を維持した上で、パチンコ球を遊技媒体としてパチスロ機の遊技が可能な遊技機である。
【０００９】
図１は本発明が適用される前面枠の裏から見た斜視図、図２は透明板保持枠の裏から見た斜視図、図３は同分解斜視図、図４は同乾燥剤室部位の拡大分解斜視図である。前面枠Ａは、合成樹脂製であってパチンコ遊技機（図示せず。）の前面とほぼ同じ大きさに成形される。そして、前面枠Ａは、パチンコ遊技機の前面にその一側を軸着して開閉自在に取着される。透明板保持枠１は前面枠Ａの裏側に配置され、遊技盤面（図示せず。）を覆うことになる。
【００１０】
透明板保持枠１は、所定半径の窓口部２を有する円環状の環状枠体３と、該環状枠体３の両面、すなわち前面と後面に前記窓口部２を密閉状に塞ぐ一対の透明板としての円板状のガラス板４ａ，４ｂとから概ね構成される。環状枠体３の外周縁には上部の両側にそれぞれ取付片５，５が突設される。また、環状枠体３の前後両面側の内周縁に各ガラス板４ａ，４ｂの外周端部が嵌合する環状凹溝６ａ，６ｂが設けられる。環状凹溝６ａ，６ｂは一定の間隔離れており、各環状凹溝６ａ，６ｂにガラス板４ａ，４ｂを嵌合して取り付けたとき、両ガラス板４ａ，４ｂ間に密閉された隙間空間７が成形されるようになっている。また、各環状凹溝６ａ，６ｂであって各ガラス板４ａ，４ｂが接着剤２４により接着されるための糊付面部８ａ，８ｂには、図７（イ）に示すようにその長手方向に沿って接着剤２４を溜める窪み部９が凹設される。
【００１１】
前記環状枠体３の下部一側に乾燥剤１０を収容する密閉状の乾燥剤室１１が設けられ、環状枠体３の内周面３ａに乾燥剤室１１の挿入口１２が開設されている。該挿入口１２は環状枠体３に沿って長細状に成形される。乾燥剤室１１は前記各ガラス板４ａ，４ｂで覆われる領域Ｓの外側に突出するようにして成形され、前記挿入口１２は各ガラス板４ａ，４ｂで覆われる領域Ｓの内側であって前記隙間空間７に臨むようになっている。このように、乾燥剤室１１が各ガラス板４ａ，４ｂで覆われる領域Ｓの外側に突出するようにして成形されるので、各ガラス板４ａ，４ｂの大きさを必要最小限に抑えることができる。よって、成形上のガラス板の歩留りが良く、また、透明板保持枠１の軽量化が図られ取り扱いも容易になる。
【００１２】
前記挿入口１２には、短手方向の両端縁部に環状枠体３の内周面３ａより少し低い段部１３，１３が設けられ、また、乾燥剤室１１における長手方向の両端部の内側面１１ａ，１１ａは互いに一方へ傾斜した平行面に成形されている。換言すると、底壁内面１１ｂに対して傾斜している。そして、一方の内側面１１ａの奥端側に外気と連通する空気抜き孔１４が開設されている。この空気抜き孔１４内には、後記する長く成形された係止片２０が係止する係止凹部１５が設けられている。
【００１３】
前記挿入口１２に嵌着される被せ蓋１６は、該挿入口１２に合致する大きさを有しかつ環状枠体３の内周面３ａに沿うように湾曲している。この被せ蓋１６は、図５に示すように環状枠体３の内周面３ａと上面１７ａが面一または該上面１７ａが内周面３ａよりも少し低くなる帯板状の蓋板部１７と、該蓋板部１７の下面であってその長手方向の一端から下方へ突設しかつ下端部に外側へ折れ曲る折曲部１８ａを有する係止片１８と、その長手方向の他端に同じく下方へ突設しかつ下端部外面に係止爪１９が突設された係止片２０とからなる。一方の係止片２０の係止爪１９が前記係止凹部１５に係止されることになる。前記下端部外面に係止爪１９が突設された係止片２０は、前記下端部に外側へ折れ曲る折曲部１８ａを有する係止片１８よりも長く成形されている。
【００１４】
前記蓋板部１７の短手方向の両側下縁には、前記乾燥剤室１１の挿入口１２の両段部１３，１３に当接される段部２１，２１が設けられている。また、前記蓋板部１７には、その長手方向の中央線に沿って複数の通気孔２２が貫設される。しかも、一方の係止片２０と他方の係止片１８とは前記乾燥剤室１１の両内側面１１ａ，１１ａと同様に同じ傾斜角度で平行に配置される。
【００１５】
前記乾燥剤１０として、例えば、シリカゲル（水ガラス及び硫酸を原料として製造される二酸化ケイ素の非結晶合成物）またはモレキュラーシーブス（水ガラス、粘土及び苛性ソーダの化学反応により製造されて金属、アルミニウム、ケイ素及び酸素により組成される金属のアルミナ珪酸塩）が用いられ、これらの粉状体または顆粒状体は通気性の有る袋に封入して使用される。
【００１６】
本発明に係る透明板保持枠１は前記構成からなり、次に、その組付順序を説明する。まず、挿入口１２から乾燥剤室１１内に袋入りの乾燥剤１０を入れる。そして、図６（イ）（ロ）に示すように長い係止片２０を空気抜き孔１４側に位置させて短い係止片１８を挿入口１２に挿入すると共に長い係止片２０を挿入口１２に挿入する。また、短い係止片１８の折曲部１８ａをこれと対向する内側面１１ａに設けられた凹欠部３１に嵌め、長い係止片２０の係止爪１９を空気抜き孔１４の係止凹部１５に係止させる。この際、長い係止片２０の外側面が乾燥剤室１１のこれと対向する内側面１１ａに当接して該係止片２０により内側面１１ａに設けられた空気抜き孔１４が閉塞される。厳密には、前記係止片２０の先端縁と乾燥剤室１１の底壁内面１１ｂとの間にほんの僅かな隙間２３ができる。また、蓋板部１７の両側下面の段部２１，２１が挿入口１２の両側の段部１３，１３に当接して環状枠体３の内周面３ａと蓋板部１７の上面１７ａとが面一となる。これにより、被せ蓋１６が簡単に外れなくなる。なお、前記乾燥剤室１１の対向する内側面１１ａ，１１ａは傾斜ししかも平行に成形されているので、被せ蓋１６が乾燥剤室１１から抜け難く、長い係止片２０の係止爪１９による一箇所の係止、すなわち係止凹部１５が一個で済む。また、前記凹欠部３１は、成形上問題を生じない位の深さに設定されている。
【００１７】
次に、環状枠体３の前面と後面に成形された環状凹溝６ａ，６ｂであってその糊付面部８ａ，８ｂに接着剤２４を隙間のないように十分に塗る。環状枠体３の前後面では図７（イ）に示すように各窪み部９内に接着剤２４が溜まるようになっており、該窪み部９に接着剤２４が溜まることになる。そして、環状枠体３の前後両面から各ガラス板４ａ，４ｂの外周端部を各環状凹溝６ａ，６ｂに嵌め込むと共に各糊付面部８ａ，８ｂに押し付けてしっかりと接着させる。これにより、両ガラス板４ａ，４ｂ間に密閉された隙間空間７が成形される。
【００１８】
ところで、自動化された組立てライン上では、各ガラス板４ａ，４ｂが、それぞれ水平に配置された環状枠体３の上面側から水平状態のままその環状枠体３の上面に垂直に下りて接着されるようになっている。このため、二枚目のガラス板４ｂを環状枠体３の側面に接着して取り付ける際、瞬間的に二枚のガラス板４ａ，４ｂ間に余分な空気が溜ってしまい、二枚目のガラス板４ｂの取り付けに支障の生ずるおそれがある。しかしながら、そのガラス板４ｂの取着動作と共に乾燥剤室１１の底壁内面１１ｂと長い係止片２０との間の僅かな隙間２３から空気抜き孔１４を介して前記余分な空気が外気に放出される。よって、環状枠体３の両側面にガラス板４ａ，４ｂを被着するに何ら支障は生じない。
【００１９】
このようにして環状枠体３の前側と後側との両面にガラス板４ａ，４ｂを接着して被着した後、前記空気抜き孔１４に外側から接着剤２４を充填しその空気抜き孔１４を密閉する。これにより、前記隙間空間７が完全に密閉されると共に各通気孔２２を介して乾燥剤室１１と隙間空間７とが連通し、乾燥剤１０により隙間空間７内が乾燥される。
【００２０】
本発明にあっては、乾燥剤室１１をガラス板４ａ，４ｂで覆われる領域Ｓの外側に突出させると共に挿入口１２をガラス板４ａ，４ｂで覆われる領域Ｓの内側であって隙間空間７に臨ませ、被せ蓋１６の長い係止片２０を空気抜き孔１４の係止凹部１５に係止し、その空気抜き孔１４に接着剤２４を充填している。よって、従来のように被せ蓋を挿入口に被せその周囲に接着剤を塗布して密閉状に取り付けるといった必要性がなくなる。これにより、被せ蓋１６のみを接着剤２４により接着させて取り付けるといった工程を省略でき、作業工程の簡素化が図られ作業能率も高められる。また、その分接着面積が少なくなり、隙間空間７の密閉性の精度も向上する。
【００２１】
しかも、空気抜き孔１４内に被せ蓋１６の長い係止片２０を係止する係止凹部１５を設けたので、空気抜き孔１４が本来の空気抜き機能を有すると共に該係止片２０を係止する係止機能をも有し、空気抜き孔１４に接着剤２４を充填することにより密閉と係止片２０すなわち被せ蓋１６の固定とが同時に行なえることになる。
【００２２】
組み付けられた透明板保持枠１は、前面枠Ａの裏側であって所定の位置に配置される。そして、前面枠Ａの所定位置に設けられた複数のフック部材３０を回動させ各取付片５，５に係合させて透明板保持枠１が取り付けられることになる。
【００２３】
図８乃至図９（イ）（ロ）は、他の実施の形態に係る被せ蓋及びその嵌着状態を示すものである。なお、他の実施の形態に係る被せ蓋及びその嵌着状態は、本発明に係る被せ蓋及びその嵌着状態とほとんど同じなので、同一部位は同一番号を付すことにより詳しい説明は省略する。他の実施の形態に係る被せ蓋２５は、乾燥剤室２６の挿入口１２に合致する大きさを有し、かつ、環状枠体３の内周面３ａに沿うように湾曲している。また、この被せ蓋２５は、図８に示すように、上面２７ａが環状枠体３の内周面３ａと面一となる帯板状の蓋板部２７と、該蓋板部２７の下面であってその長手方向の両端から下方へ突設される同じ長さの係止片２８，２８とからなり、各係止片２８の先端部の外側に係止爪１９が設けられている。
【００２４】
図９（イ）に示すように乾燥剤室２６の長手方向の両端部の内側面２６ａ，２６ａが底壁内面２６ｂに対して直角に設けられ、両内側面２６ａ，２６ａの奥端側にそれぞれ外気と連通する空気抜き孔２９が開設されている。この場合も、乾燥剤室２６が各ガラス板４ａ，４ｂで覆われる領域Ｓの外側に突出するようにして成形されるので、各ガラス板４ａ，４ｂの大きさを必要最小限に抑えることができる。よって、成形上のガラス板の歩留りが良く、しかも、透明板保持枠１の軽量化が図られ取り扱いも容易になる。
【００２５】
そして、図９（イ）に示すように前記と同様に挿入口１２から乾燥剤室２６内に袋入りの乾燥剤１０を入れる。次に、両係止片２８，２８を下側にしてこれら係止片２８，２８を挿入口１２に挿入する。各係止片２８の係止爪１９がそれぞれ乾燥剤室２６の対向する各内側面２６ａに当接しながら進み各係止凹部１５に係止される。この際、両係止片２８，２８の外側面がそれぞれ乾燥剤室２６の両内側面２６ａ，２６ａに当接して前記各係止片２８により各内側面２６ａに設けられた空気抜き孔２９が閉塞される。厳密には、前記各係止片２８の先端縁と乾燥剤室２６の底壁内面２６ｂとの間にはほんの僅かな隙間２３ができる。また、蓋板部２７両側下面の段部２１が挿入口１２の両側縁の段部１３に当接して環状枠体３の内周面３ａと蓋板部２７の上面２７ａとが面一となる。または、前記蓋板部２７の上面２７ａが前記環状枠体３の内周面３ａよりも少し低くなるようにしても良い。これにより、被せ蓋２５が簡単に外れないようになる。
【００２６】
他の実施の形態にあっては、乾燥剤室２６をガラス板４ａ，４ｂで覆われる領域Ｓの外側に突出させると共に挿入口１２をガラス板４ａ，４ｂで覆われる領域Ｓの内側であって隙間空間７に臨ませ、被せ蓋２５の両係止片２８，２８を両空気抜き孔２９，２９の係止凹部１５に係止し、それら空気抜き孔２９，２９に接着剤２４を充填している。よって、この場合も被せ蓋２５のみを接着剤２４により接着させて取り付けるといった工程を省略でき、作業工程の簡素化が図られ作業能率も高められる。また、その分接着面積が少なくなり、隙間空間７の密閉性の精度も向上する。
【００２７】
このようにして組み付けられた透明板保持枠１も、前面枠Ａの裏側であって所定の位置に配置される。そして、前面枠Ａの所定位置に設けられた複数のフック部材３０を回動させ各取付片５，５に係合させて透明板保持枠１が取り付けられることになる。
【００２８】
本発明に係る透明板保持枠、他の実施の形態に係る透明板保持枠のいずれにあっても、前記環状枠体３の窓口部２、すなわちガラス板４ａ，４ｂは円板状であると説明したが、このガラス板４ａ，４ｂは他に例えば方形状、楕円形状、蒲鉾形状といった所望の形状のものが選択使用される。
【図面の簡単な説明】
【００２９】
【図１】本発明が適用される前面枠の裏から見た斜視図。
【図２】透明板保持枠の裏から見た斜視図。
【図３】同分解斜視図。
【図４】同乾燥剤室部位の拡大分解斜視図。
【図５】被せ蓋の斜視図。
【図６】（イ）は被せ蓋を嵌着する前の乾燥剤室の断面図、（ロ）は被せ蓋を嵌着した後の乾燥剤室の断面図。
【図７】（イ）は図２のＸ−Ｘ線拡大断面図、（ロ）は図２のＹ−Ｙ線拡大断面図。
【図８】他の実施の形態に係る被せ蓋の斜視図。
【図９】（イ）は同被せ蓋を嵌着する前の乾燥剤室の断面図、（ロ）は同被せ蓋を嵌着した後の乾燥剤室の断面図。
【符号の説明】
【００３０】
１                  透明板保持枠
２                  窓口部
３                  環状枠体
４ａ，４ｂ          透明板（ガラス板）
７                  隙間空間
１０                乾燥剤
１１                乾燥剤室
１２                挿入口
１４                空気抜き孔
１５                係止凹部
１６                被せ蓋
２０                係止片
２２                通気孔
２４                接着剤
Ａ                  前面枠
Ｓ                  透明板で覆われる領域
【図１】
0004812487.tif 000002
【図２】
0004812487.tif 000003
【図３】
0004812487.tif 000004
【図４】
0004812487.tif 000005
【図５】
0004812487.tif 000006
【図６】
0004812487.tif 000007
【図７】
0004812487.tif 000008
【図８】
0004812487.tif 000009
【図９】
0004812487.tif 000010